(57)【特許請求の範囲】
【請求項１】
ローラを回転させて用紙を搬送しながらヒータによって前記用紙を加熱する定着器を有した画像形成装置であって、
当該画像形成装置の動作を制御する制御部と、
前記ローラの回転が正常である否かを判定する回転判定部と、
前記用紙のジャムが発生している発生中状態であるか否かを示すジャム情報を記憶する記憶部と、
前記ローラが回転したか否かを判定する回転有無判定部と、を有し、
前記制御部は、前記定着器をウォームアップするための処理を開始する際に、
前記発生中状態ではない場合には、前記ローラの回転が正常ではないと判定されたときに、ウォームアップを中止するとともに、サービスコールが必要な状態であることをユーザに知らせる第１のエラー処理を行い、
前記発生中状態である場合には、前記ローラの回転の有無を判定し、前記ローラが回転しなかったと判定されたときに、ユーザにジャム対処作業を行うよう促し、前記ローラが回転したと判定されたときに、前記ヒータをオフ状態からオン状態に切り替え、前記ローラの回転が正常か否かを判定し、前記ローラの回転が正常ではないと判定されたときに、前記ヒータをオン状態からオフ状態に切り替えるとともに、ユーザにジャム対処作業を行うよう促す、第２のエラー処理を行う、
ことを特徴とする画像形成装置。
【請求項２】
前記制御部は、ユーザによって前記ジャム対処作業が行われてもなお前記ローラの回転が正常ではないと判定された場合に、再び前記第２のエラー処理を行う、
請求項１記載の画像形成装置。
【請求項３】
前記制御部は、前記第２のエラー処理を行った回数が所定値を超えた場合には、前記第１のエラー処理を行う、
請求項２記載の画像形成装置。
【請求項４】
ユーザに対するメッセージを表示するためのディスプレイを有し、
前記制御部は、前記第２のエラー処理において、前記定着器から前記用紙を取り除くようユーザに促す画面を前記ディスプレイに表示させる、
請求項１ないし３のいずれかに記載の画像形成装置。
【請求項５】
前記制御部は、前記第２のエラー処理において、前記ローラの回転が正常であると判定されたときに、ウォームアップが完了するまで回転の正否を繰り返し判定する、
請求項１ないし４のいずれかに記載の画像形成装置。
【請求項６】
前記ローラの回転に応じた信号を出力する回転センサを有し、
前記回転有無判定部は、前記ローラの回転駆動が開始されてから所定の時間が経過するまでに前記信号が変化した場合に、前記ローラが回転したと判定する、
請求項１ないし５のいずれかに記載の画像形成装置。
【請求項７】
前記回転判定部は、所定の範囲内の時間間隔で前記信号が変化した場合に、前記ローラの回転が正常であると判定する、
請求項６記載の画像形成装置。
【請求項８】
前記回転センサは、周方向に並ぶ複数のスリットを有しかつ前記ローラと一体に回転する円板を有し、前記スリットを通過する光の有無に応じた光電変換パルスを前記信号とし
て出力する、
請求項６または７記載の画像形成装置。
【請求項９】
前記制御部は、前記発生中状態である場合には、前記ローラの回転が正常であると判定されるまで、前記ヒータをオフ状態に保つ、
請求項１ないし４のいずれかに記載の画像形成装置。
【請求項１０】
前記ローラは、前記用紙を加熱する加熱ローラであり、
前記ヒータは、前記ローラの周面と部分的に対向する局所加熱型である、
請求項１ないし９のいずれかに記載の画像形成装置。
【発明の詳細な説明】
【技術分野】
【０００１】
本発明は、画像形成装置に関する。
【背景技術】
【０００２】
プリンタ、複写機、ＭＦＰ（Multi-functional Peripheral ：多機能機または複合機）などの画像形成装置は、用紙を搬送しながら用紙の表面に画像を形成する。画像形成の途中でジャム（用紙詰まり）が発生することがある。ジャムを検知すると、画像形成装置は、直ちに搬送を停止し、ジャムの発生をユーザに知らせる。ユーザは、搬送路から用紙を取り除く作業（ジャム対処作業）を行う。この作業が完了した後、例えばユーザが再スタートを指示すると、画像形成装置は画像の形成を再開する。
【０００３】
電子写真式の画像形成装置は、トナー像が転写された用紙に熱および圧力を加える定着器を有している。定着器には、ローラ式およびベルト式などがある。ローラ式の定着器は、加熱ローラおよび加熱ローラに当接してニップ部を形成する加圧ローラを備える。ベルト式の定着器は、加熱ベルトを巻回する複数のローラおよび加熱ベルトに当接してニップ部を形成する加圧ローラを備える。用紙がニップ部を通過するとき、加熱と加圧とによってトナーが溶融して用紙に定着する。
【０００４】
定着器のローラが正常に回転しないことが起こり得る。その原因としては、例えばモータの故障やギヤの損傷などがある。画像形成装置は、定着器のローラの回転異常を検知すると、サービスパーソンによる修復作業の実施が必要なエラーが発生したと判断し、直ちに回転および加熱を停止する。そして、エラーの発生をユーザに知らせる。この場合に、ユーザは、修復作業の依頼（サービスコール）を行い、サービスパーソンによって修復作業が実施されるのを待つ。
【０００５】
サービスパーソンによって修復作業が実施されるのを待つ状況を少なくするための先行技術として、特許文献１に記載の技術がある。特許文献１には、画像形成装置本体に対して着脱自在に設置される装置ユニットの設置が検知されていて装置ユニットの被駆動部の駆動が検知されなかった場合に、装置ユニットの正しい設置を促す第１の告知をし、第１の告知をした回数Ｋが所定回数に達しているときには装置の修理を促す第２の告知を行うことが開示されている。
【０００６】
また、定着器内でのジャムの検出精度を向上させるための先行技術として、特許文献２に記載の技術がある。特許文献２には、定着ローラより下流側の用紙詰まりが検知され、定着ローラの駆動が停止され、用紙詰まりが解除された後、定着ローラの駆動の再開に当たって、所定の時間だけ定着ローラへの駆動トルクを画像形成動作時よりも小さくして駆動させ、該所定の時間内に所定の駆動状態に達しないと、用紙詰まりが検知されたとして定着ローラへの駆動を停止させることが開示されている。
【先行技術文献】
【特許文献】
【０００７】
【特許文献１】特開２００８−０４００７０号公報
【特許文献２】特開２０００−３５２８９５号公報
【発明の概要】
【発明が解決しようとする課題】
【０００８】
ユーザがジャム対処作業を行ったとしても、用紙が搬送路内に残っていることがある。例えば、複数枚の用紙が搬送路内に残留した場合に、ユーザが一部の用紙のみを取り除いて、残りの用紙を取り除くことなく作業を終えることがある。特に、用紙が押し潰されてローラのニップ部に残留したときには、用紙がローラの陰に隠れて見つけにくい。
【０００９】
もしも、定着器のローラのニップ部に残留している用紙を取り除くことなくユーザがジャム対処作業を終えた場合には、画像形成装置が画像の形成を再開しようとしても定着器のローラが正常に回転しない。したがって、この場合に画像形成装置は、上に述べた通り、サービスパーソンによる修復作業の実施が必要なエラーが発生したと判断して、ローラの回転および加熱を停止してしまう。つまり、サービスパーソンによる修復作業が完了するまでの期間が、画像形成装置を使用することができないダウンタイムとなり、画像形成装置の利便性が大きく損なわれる、という問題があった。
【００１０】
なお、一般に、搬送路の適所に用紙の有無を検出する用紙センサが設けられ、ジャムの発生をユーザに通知するときに、用紙が残留しているおおよその位置が表示される。しかし、定着器は高温になるので、定着器に用紙センサを設けることが難しい。定着器に用紙が残留していても、用紙センサによって残留の位置を特定して表示することができない。このため、ユーザが定着器に残留している用紙を取り除くことなくジャム対処作業を終えてしまうことが起こる。
【００１１】
上に述べた特許文献１の技術は、着脱可能なユニットの装着不良に関わるサービスコールを少なくするものであり、定着器におけるジャムに関わる上に述べた問題を解決することができない。
【００１２】
特許文献２の技術は、定着器の回転異常を検知した場合に、回転が正常になるまでユーザにジャム対処作業を繰り返し強いる。真にサービスコールが必要である場合に、ユーザが自らジャム対処作業を無駄に繰り返すことになり、結果的にダウンタイムが長引くという問題があった。
【００１３】
本発明は、上述の問題に鑑みてなされたもので、定着器の動作不良を原因とするダウンタイムを低減することを目的とする。
【課題を解決するための手段】
【００１４】
本発明の実施形態に係る画像形成装置は、ローラを回転させて用紙を搬送しながらヒータによって前記用紙を加熱する定着器を有した画像形成装置であって、当該画像形成装置の動作を制御する制御部と、前記ローラの回転が正常である否かを判定する回転判定部と、前記用紙のジャムが発生している発生中状態であるか否かを示すジャム情報を記憶する記憶部と、前記ローラが回転したか否かを判定する回転有無判定部と、を有し、前記制御部は、前記定着器をウォームアップするための処理を開始する際に、前記発生中状態ではない場合には、前記ローラの回転が正常ではないと判定されたときに、ウォームアップを中止するとともに、サービスコールが必要な状態であることをユーザに知らせる第１のエラー処理を行い、前記発生中状態である場合には、前記ローラの回転の有無を判定し、前記ローラが回転しなかったと判定されたときに、ユーザにジャム対処作業を行うよう促し、前記ローラが回転したと判定されたときに、前記ヒータをオフ状態からオン状態に切り替え、前記ローラの回転が正常か否かを判定し、前記ローラの回転が正常ではないと判定されたときに、前記ヒータをオン状態からオフ状態に切り替えるとともに、ユーザにジャム対処作業を行うよう促す、第２のエラー処理を行う。
【発明の効果】
【００１５】
本発明によると、定着器の動作不良を原因とするダウンタイムを低減することができ、それによって画像形成装置の利便性を向上させることができる。
【図面の簡単な説明】
【００１６】
【図１】本発明の一実施形態に係る画像形成装置の構成の概要を示す図である。
【図２】画像形成装置の制御部の構成の第１例を示す図である。
【図３】定着ローラの回転判定の例を示す図である。
【図４】画像形成装置におけるウォームアップ処理の流れの第１例を示す図である。
【図５】通常ウォームアップ処理の流れを示す図である。
【図６】エラー判定処理の流れを示す図である。
【図７】画像形成装置の状態を表示する画面の例を示す図である。
【図８】画像形成装置の制御部の構成の第２例を示す図である。
【図９】定着ローラの回転有無判定の例を示す図である。
【図１０】画像形成装置におけるウォームアップ処理の流れの第２例を示す図である。
【発明を実施するための形態】
【００１７】
図１には本発明の一実施形態に係る画像形成装置１の構成の概要が示され、図２には画像形成装置１の制御部５０の構成の第１例が示されている。
【００１８】
図１（Ａ）において、画像形成装置１は、電子写真式のカラープリンタである。画像形成装置１は、用紙カセット１０、４個のイメージングステーション１１，１２，１３，１４、中間転写ベルト１６、および定着器１７などを有している。イメージングステーション１１〜１４のそれぞれは、筒状の感光体、帯電チャージャ、現像器、クリーナ、および露光用の光源などを有している。
【００１９】
画像形成装置１は、イエロー（Ｙ）、マゼンダ（Ｍ）、シアン（Ｃ）およびブラック（Ｋ）の４色のトナー像を並行して形成する。４色のトナー像は、これらを重ね合わせるように中間転写ベルト１６に一次転写される。一次転写にタイミングを合わせて、用紙カセット１０から用紙９が引き出されて搬送路１５に沿って搬送される。中間転写ベルト１６と当接するときに、用紙９にトナー像が二次転写される。その後、用紙９は定着器１７の内部を通り、排紙ローラ１８によって排紙トレイ１９へ送り出される。定着器１７を通過するとき、加熱および加圧によってトナー像が用紙９に定着する。
【００２０】
定着器１７は、用紙９を加熱する定着ローラ（加熱ローラ）７１、用紙９に圧力を加えるための加圧ローラ７２、および定着ローラ７１の周面を加熱する定着ヒータ７３を有している。定着器１７は、回転する定着ローラ７１と加圧ローラ７２とで用紙９を挟み、用紙９を搬送しながら熱と圧力とを加える。
【００２１】
定着ローラ７１は、図１（Ｂ）に示すように定着モータ７７の回転軸にギア７８を介して連結されており、定着モータ７７によって回転駆動される。加圧ローラ７２は定着ローラ７１に従動する。
【００２２】
定着ヒータ７３は、局所加熱型であり、定着ローラ７１の外部に配置されて定着ローラ７１の周面の一部と対向する。発熱の方式は、誘導加熱（Induction Heating ：ＩＨ）である。定着ヒータ７３は、ＩＨ電源８０から高周波電力が入力されているときにオン状態となって発熱する。高周波電力が入力されないオフ状態になると、加熱を停止する。
【００２３】
定着器１７には、定着ローラ７１の回転に応じた回転検出信号Ｓ１を出力する回転センサ７４が設けられている。回転センサ７４は、周方向に等間隔に並ぶ複数のスリットを有した円板（エンコーダ）７５と、円板７５の回転を検出するフォトインタラプタ７６とから構成される。円板７５は、定着ローラ７１の回転軸と同心に取り付けられて定着ローラ７１と一体に回転する。フォトインタラプタ７６は、検出光を射出する発光素子と、スリットを通過した検出光を受光する受光素子とを有する。回転センサ７４は、検出光の受光の有無に応じた光電変換パルスを回転検出信号Ｓ１として出力する。
【００２４】
なお、画像形成装置１は、搬送路１５の適所に配置されてその位置における用紙９の有無を検出する用紙センサ３１、搬送路１５からの用紙９の取り出しを可能にする扉３５、および扉３５の開閉を検出する扉センサ３６を有している。
【００２５】
図２において、制御部５０は、ＣＰＵ（Central Processing Unit ）５１、ＲＡＭ５２、および不揮発性記憶部５３などを有する。ＣＰＵ５１は、不揮発性記憶部５３に記憶されている制御プログラムをＲＡＭ５２にロードして実行することによって、画像形成装置１の動作を制御する。すなわち、ＣＰＵ５１は、ホスト装置からのプリントジョブの入力を受け付け、プリントジョブに応じた枚数の印刷物を生成するように、イメージングステーション１１〜１４、定着器１７、および用紙９の搬送機構などを制御する。
【００２６】
ＣＰＵ５１は、プリントジョブの実行中において、用紙センサ３１の出力に基づいてジャムの発生の有無を検知する。例えば、排紙ローラ１８の近傍に設けた用紙センサ３１の出力が、排紙ローラ１８に用紙９が到達するはずの予定時刻になっても用紙有りを示す状態に変化しなかった場合には、排紙ローラ１８の上流側でジャムが発生したと判断する。
【００２７】
ジャムの発生を検知すると、ＣＰＵ５１は、プリントジョブの実行を中断する。すなわち、定着モータ７７を含む用紙９の搬送の駆動源をオフ状態とするとともに、ＩＨ電源８０をオフ状態にして定着ヒータ７３の発熱を停止させる。そして、ユーザに対するメッセージを表示するためのディスプレイ２１を用いて、ジャムの発生をユーザに知らせる。ディスプレイ２１は、ユーザが画像形成装置１を操作するためめ操作パネルに配置されている。
【００２８】
さらに、ＣＰＵ５１は、ジャムが発生している発生中状態（ジャムの解消が確認されていない状態）であるか否かを示すジャム情報６６を、発生中状態であることを示すように更新して不揮発性記憶部５３に記憶させる。不揮発性記憶部５３は、ジャム情報６６を記憶するデータの書換えが可能な不揮発性メモリを備えている。
【００２９】
ジャム情報６６は、２つの値のいずれかとされるフラグであってもよいし、発生日時および解消日時などを記録する履歴情報であってもよい。
【００３０】
ジャム情報６６をフラグとする場合には、例えば「１」を発生中状態であるときの値とし、例えば「０」を発生中状態ではないときの値とすることができる。また、履歴情報とする場合には、発生日時が記録されて解消日時が記録されていないレコードの存在することが発生中状態であることを示し、そのようなレコードが存在しないことが発生中状態ではないことを示すものとすればよい。
【００３１】
ユーザは、ジャムが発生したことを知ると、ジャム対処作業を行う。すなわち、扉３５を開き、搬送路１５から残留している用紙９を取り除いて扉３５を閉じる。このとき、ＣＰＵ５１は、扉３５が開かれ、その後に閉じられたことを扉センサ３６の出力に基づいて検知する。
【００３２】
扉３５が閉じられたことを検知すると、ＣＰＵ５１は、ジャム対処作業が完了したと判断して、プリントジョブの再開に向けて、定着器１７をウォームアップするためのウォームアップ処理を実行する。
【００３３】
定着器１７のウォームアップは、定着ローラ７１を定着温度に近い所定のウォームアップ温度に昇温させる処理であり、中断したプリントジョブを再開するときだけでなく、画像形成装置１に電源が投入されたときにも行われる。なお、電源の投入には、電源スイッチのオン、および消費電力を低減する節電モードを解除するモード切替えが含まれる。節電モードは、例えばプリントジョブの入力を契機として解除される。
【００３４】
このように電源投入時またはプリントジョブの再開時に行うウォームアップ処理に関わる機能的要素として、ＣＰＵ５１には、回転判定部６１、第１のエラー処理部６２、および第２のエラー処理部６３が設けられている。これらの機能的要素は、ＣＰＵ５１のハードウェアにより、およびＣＰＵ５１が上に述べた制御プログラムを実行することにより実現される。
【００３５】
回転判定部６１は、回転センサ７３から入力される回転検出信号Ｓ１に基づいて、定着ローラ７１の回転が正常であるか否かを判定する。後に詳述する通り、例えば、所定の範囲内の時間間隔で回転検出信号Ｓ１が複数回変化した場合に、定着ローラ７１の回転が正常であると判定する。
【００３６】
第１のエラー処理部６２は、ウォームアップ処理を開始する際にジャム情報６６が発生中状態ではないことを示す場合において、回転判定部６１によって定着ローラ７１の回転が正常ではないと判定されたときに、第１のエラー処理を行う。第１のエラー処理は、ウォームアップを中止するとともに、サービスコールが必要な状態であることユーザに知らせる処理である。
【００３７】
第２のエラー処理部６３は、ウォームアップ処理を開始する際にジャム情報６６が発生中状態であることを示す場合において、回転判定部６１によって定着ローラ７１の回転が正常ではないと判定されたときに、第２のエラー処理を行う。第２のエラー処理は、ユーザにジャム対処作業を行うよう促す処理である。
【００３８】
また、第２のエラー処理部６３は、ユーザによってジャム対処作業が行われてもなお定着ローラ７１の回転が正常ではないと判定された場合に、再び第２のエラー処理を行う。
【００３９】
第２のエラー処理部６３は、例えばＲＡＭ５２にジャム処理カウンタ６８を設け、第２のエラー処理を行った回数ｎをカウントする。そして、ジャム処理カウンタ６８のカウント値ｎが所定値ｎ１（例えば２，３，４、または５など）を超えた場合にも、第１のエラー処理を行う。
【００４０】
上に述べたように定着ヒータ７３は局所加熱型である。したがって、もしも定着ローラ７１が何らかの要因で回転しないにもかかわらず、定着ヒータ７３を発熱させると、定着ローラ７１の周面の同じ部分のみが加熱され続けて損傷するおそれがある。そこで、ＣＰＵ５１は、発生中状態である場合には、定着ローラ７１の回転が正常であると判定されるまで、定着ヒータ７３をオフ状態に保つようＩＨ電源８０を制御する。
【００４１】
図３には定着ローラ７１の回転判定の例が示されている。図３（Ａ）には定着ローラ７１が正常に回転する場合の例が、図３（Ｂ）、（Ｃ）には定着ローラ７１が正常に回転しない場合の例が、それぞれ示されている。
【００４２】
図３（Ａ）において、定着モータ７７がオン状態に切り替わると、定着ローラ７１が回り出して回転検出信号Ｓ１が変化する。回転検出信号Ｓ１は、回転センサ７４の検出光が円板７５のスリットを通過するときに例えばＯＮレベルとなり、円板７５によって遮光されると例えばＯＦＦレベルになる。
【００４３】
回転速度が増大して目標速度に近づくにつれて、回転検出信号Ｓ１のパルス幅およびパルス周期が短くなる。回転判定部６１は、所定値Ｔ以下のパルス周期で連続して複数のパルスが入力されたときに、すなわち所定値以下のパルス幅のパルスが続けて入力されたときに、定着ローラ７１の回転が正常であると判定する。つまり、所定速度の回転が所定値Ｔの２倍以上の時間にわたって続いたときに、回転が安定していると判断し、回転が正常であると判定する。回転が正常であると判定されると、ＣＰＵ５１は、定着ヒータ７３をオフ状態からオン状態（発熱状態）に切り替える。
【００４４】
図３（Ｂ）において、定着モータ７７がオン状態に切り替わった後、回転検出信号Ｓ１に数個のパルスとなる変化が生じている。これは、定着ローラ７１が回り出したことを示している。しかし、回転は長続きせず、数個のパルスが生じた後に回転検出信号Ｓ１がＯＦＦレベルのまま変化しない状態が続いている。
【００４５】
回転判定部６１は、正常に回転することなく、回転検出信号Ｓ１に変化の無い状態が所定時間Ｔａ（例えば１秒）にわたって続いたときに、回転が正常ではない（つまり異常である）と判定する。回転異常の原因としては、定着器１７におけるジャムの未解消（用紙９の残留）、定着モータ７７の故障、ギア７８の損傷、および回転センサ７４の破損などがある。回転が正常ではないと判定されると、ＣＰＵ５１は、定着モータ７７をオフ状態にする。
【００４６】
図３（Ｃ）においては、数個のパルスが生じた後に回転検出信号Ｓ１がＯＮレベルのまま変化しない状態が続いている。この場合も、回転判定部６１は、回転検出信号Ｓ１に変化の無い状態が所定時間Ｔａにわたって続いたときに、回転が正常ではないと判定する。ＣＰＵ５１は、定着モータ７７をオフ状態にする。
【００４７】
ウォームアップ処理においては、回転が正常ではないと判定された場合に、サービスコールが必要であると直ちに判断してしまうか、ユーザにジャム対処作業を依頼して作業後にサービスコールの要否を判断するかを、ジャム情報６６に基づいて決定する。これにより、ユーザが解決可能なトラブルについてサービスコールを行う不都合、および真にサービスコールが必要なトラブルについてユーザに対処を求める不都合の両方を低減することができる。
【００４８】
次に、このようなウォームアップ処理についてフローチャートを参照して説明する。図４には画像形成装置１におけるウォームアップ処理の流れの第１例が、図５には通常ウォームアップ処理の流れが、図６にはエラー判定処理の流れが、それぞれ示されている。また、図７には画像形成装置１の状態を表示する画面４１，４２の例が示されている。
【００４９】
図４のように、ジャム情報６６を参照し（＃１０１）、ジャムの解消が確認されていない発生中状態であるか否かをチェックする（＃１０２）。
【００５０】
発生中状態ではない場合には（＃１０２でＮＯ) 、通常ウォームアップ処理を実行する（＃１０３）。発生中状態ではない場合としては、ジャムが発生していない状態で電源スイッチがオフとされ、または節電モードとなり、その後に電源スイッチがオンとされ、または節電モードが解除された場合がある。通常ウォームアップ処理の詳細を後に述べる。
【００５１】
発生中状態である場合には（＃１０２でＹＥＳ) 、定着モータ７７をオン状態とし（＃１０４）、定着ローラ７１の回転が正常であるか否かを判定する（＃１０５）。
【００５２】
回転が正常であると判定した場合には（＃１０５でＹＥＳ) 、ジャム処理カウンタ６８をクリアし（＃１０６）、定着ヒータ７３をオン状態にして定着ローラ７１の加熱を開始する（＃１０７）。ジャム処理カウンタ６８をクリアするときに、ジャム情報６６の内容を、発生中状態ではないことを示す内容に更新してもよい。例えばジャム情報６６がフラグである場合には、「１」から「０」に更新する。
【００５３】
その後、定着ローラ７１の表面温度がウォームアップ温度まで上昇して定着器１７のウォームアップが完了するまで、定着ローラ７１の回転を監視しながらウォームアップを継続する。すなわち、ウォームアップが完了していない場合には（＃１０８でＮＯ) 、ステップ＃１０５へ戻って回転が正常か否か判定する。再び回転が正常であると判定した場合には、既にジャム処理カウンタ６８をクリアしておりかつ定着ヒータ７３による加熱を行っているので、ステップ＃１０６およびステップ＃１０７をスルーしてステップ１０８へ進む。ウォームアップが完了すると（＃１０８でＹＥＳ) 、図４のウォームアップ処理を終了する。
【００５４】
一方、ステップ＃１０５において、回転が正常ではないと判定した場合には（＃１０５でＮＯ) 、エラー判定処理を実行する（＃１０９）。エラー判定処理の詳細を後に述べる。
【００５５】
図５のように、通常ウォームアップ処理では、定着ヒータ７３をオン状態にして定着ローラ７１の加熱を開始し（＃３０１）、定着モータ７７をオン状態とする（＃３０２）。
【００５６】
続いて、定着ローラ７１の回転が正常であるか否かを判定する（＃３０３）。正常であると判定した場合には（＃３０３でＹＥＳ) 、定着器１７のウォームアップが完了するまでの間（＃３０４でＮＯ) 、定着ローラ７１の回転を繰り返し判定する。ウォームアップが完了すると（＃３０４でＹＥＳ) 、図４のフローに戻る。
【００５７】
定着ローラ７１の回転が正常ではないと判定した場合には（＃３０３でＮＯ) 、定着ヒータ７３をオフ状態にして定着ローラ７１の加熱を中止し（＃３０５）、定着モータ７７をオフ状態とする（＃３０６）。
【００５８】
そして、図７（Ａ）に示す画面４１をデイスプレイ２１に表示させるサービスコール表示処理、つまり上に述べた第１のエラー処理を実行する（＃３０７）。画面４１は、ユーザにサービスステーションへの連絡を依頼するメッセージ４１１、およびトラブルコードを示す文字列４１２などを有する。ユーザは、例えば画像形成装置１の取扱い説明書に記載されているトラブルコード一覧を参照することにより、文字列４１２の示すトラブルコードが定着器１７のトラブルに関係することを知ることができる。
【００５９】
回転が正常ではないと判定した場合にサービスコールが必要であると判断する理由は、通常ウォームアップ処理が実行されるのは発生中状態ではない場合であるので、用紙９の搬送を開始する以前における定着ローラ７１の回転異常の原因は、用紙９の残留ではなくモータなどの部品の故障や破損などであると考えられるからである。
【００６０】
図６のように、エラー判定処理では、定着モータ７７をオフ状態とし（＃６０１）、図７（Ｂ）に示す画面４２をデイスプレイ２１に表示させるジャム表示処理、つまり上に述べた第２のエラー処理を実行する（＃６０２）。画面４２は、定着器１７の付近に残留する用紙９の除去をユーザに促すメッセージ４２１を有する。これにより、ユーザが定着器１７に注目してジャム対処作業を行うので、定着器１７が見えにくい位置に配置されていたり、用紙９が蛇腹状になって見つけにくかったりしても、ユーザは用紙９を除去してジャムを解消することができる。
【００６１】
画面４２を表示させたまま、ユーザによるジャム対処作業が終了するのを待つ（＃６０３）。すなわち、扉３５が開かれてその後に閉じられるのを待つ。
【００６２】
扉３５が閉じられると、ジャム処理カウンタ６８のカウント値（回数ｎ）を（ｎ＋１）にインクリメントし（＃６０４）、これによって更新された回数ｎが所定値ｋを超えたか否かをチェックする（＃６０５）。
【００６３】
回数ｎが所定値ｋを超えていない場合には（＃６０５でＮＯ) 、図４のフローのステップ＃１０４へ戻って、定着ローラ７１が正常に回転するか否かを再チェックする。つまり、以前の回転異常の原因がジャムであって、このジャムがユーザによるジャム対処作業によって解消したか否かを判断する。回転が正常であれば（＃１０５でＹＥＳ) 、上に述べたステップ＃１０６〜＃１０８の処理を行う。回転が正常でなければ（＃１０５でＮＯ) 、ステップ＃１０９へ進んで再びエラー判定処理を実行する。
【００６４】
図６に戻って、回数ｎが所定値ｋを超えている場合には（＃６０５でＹＥＳ) 、画面４１をデイスプレイ２１に表示させるサービスコール表示処理を実行する（＃６０６）。つまり、この場合はユーザがジャム対処作業を（ｋ−１）回行っても定着ローラ７１が正常に回転しない場合であるので、回転異常の原因がジャムではない可能性が大きい。サービスパーソンによる修復作業の実施が必要と考えられる。そこで、画面４１の表示によってサービスコールが必要な状態であることをユーザに知らせる。
【００６５】
画像形成装置１の構成には次の変形例がある。図８には画像形成装置１ｂの制御部５０ｂの構成の第２例が、図９には定着ローラ７１の回転有無判定の例が、図１０には画像形成装置１ｂにおけるウォームアップ処理の流れの第２例が、それぞれ示されている。
【００６６】
図８において、画像形成装置１ｂは、図２に示した画像形成装置１の制御部５０に代えて、制御部５０ｂを有している。その他の構成は図２の画像形成装置１の構成と同様である。
【００６７】
制御部５０ｂは、ＣＰＵ５１、ＲＡＭ５２、および不揮発性メモリ５３などを有している。すなわち、制御部５０ｂのハードウェア構成は、図２の画像形成装置１の制御部５０のハードウェア構成と同様である。
【００６８】
制御部５０ｂと制御部５０との差異は、制御部５０ｂのＣＰＵ５１に、回転判定部６１、第１のエラー処理部６２、および第２のエラー処理部６３に加えて、制御部５０にはない回転有無判定部６４が設けられていることである。制御部５０ｂの各機能要素は、ＣＰＵ５１のハードウェアにより、およびＣＰＵ５１が不揮発性メモリ５３に記憶されている制御プログラムを実行することにより実現される。
【００６９】
回転有無判定部６４は、回転検出信号Ｓ１に基づいて定着ローラ７１が回転したか否かを判定する。詳しくは、図９（Ａ）〜（Ｃ）に示すように、定着モータ７７がオン状態とされて定着ローラ７１の回転駆動が開始されてから所定の時間Ｔｂが経過するまでに回転検出信号Ｓ１がＯＦＦからＯＮにまたはＯＮからＯＦＦに変化した場合に、すなわち信号レベルの遷移があった場合に、定着ローラ７１が回転したと判定する。時間Ｔｂは、定着モータ７７の駆動力が伝達されて定着ローラ７１が回り出すのに要する時間（例えば１秒）とされる。
【００７０】
発生中状態である場合において定着ローラ７１が回転したと判定されると、制御部５０ｂは、定着ヒータ７３をオフ状態からオン状態に切り替える。これにより、図９（Ａ）と図３（Ａ）とを見比べてよく分かるように、定着ヒータ７３をオン状態にして定着ローラ71の加熱を始めるタイミングが早くなる。ウォームアップの完了が早くなるので、より早く画像の形成を開始することができる。
【００７１】
しかし、図９（Ｃ）に示すように、定着ヒータ７３をオン状態にした後に定着ローラ７１の回転が正常ではないと判定されると、制御部５０ｂは、定着ヒータ７３をオン状態からオフ状態に切り替える。上に述べた通り、定着ローラ７１の同じ部位を加熱し続けるのを防ぐためである。
【００７２】
図１０の例において、まず、図４の例と同様に、ジャム情報６６を参照し（＃２０１）、発生中状態であるか否かをチェックする（＃２０２）。発生中状態ではない場合には（＃２０２でＮＯ) 、通常ウォームアップ処理を実行する（＃２０３）。通常ウォームアップ処理の詳細は、図５の通りである。
【００７３】
発生中状態である場合において（＃２０２でＹＥＳ) 、定着モータ７７をオン状態とし（＃２０４）、回転検出信号Ｓ１のレベルが遷移するような定着ローラ７１の回転の有無をチェックする（＃２０５）。
【００７４】
定着ローラ７１が回転しなかった場合には（＃２０５でＮＯ) 、エラー判定処理を実行する（＃２０６）。エラー判定処理の詳細は、図６の通りである。
【００７５】
定着ローラ７１が回転した場合には（＃２０５でＹＥＳ) 、定着ヒータ７３をオン状態にして定着ローラ７３の加熱を開始する（＃２０７）。その後、回転が正常であると判定すると（＃２０８でＹＥＳ) 、ジャム処理カウンタ６８をクリアし（＃２０９）、ウォームアップが完了するまで回転の正否を繰り返しチェックする（＃２１０、＃２０８）。回転が正常ではないと判定すると（＃２０８でＮＯ) 、定着ヒータ７３をオン状態からオフ状態に切り替え（＃２１１）、ステップ＃２０６へ進んでエラー判定処理を実行する。
【００７６】
以上の実施形態によると、定着ローラ７１が正常に回転しない場合に、ジャム情報６６に応じて第1 のエラー処理または第２のエラー処理を行うので、サービスコールを真に必要な場合に限って行うようにすることができる。したがって、定着器１７の動作不良を原因とするダウンタイムを低減することができ、それによって画像形成装置１，１ｂの利便性を向上させることができる。
【００７７】
図８の構成によると、回転有無判定部６４によって定着ローラ７１が回転したと判定したときに定着ローラ７１の加熱を開始するので、回転速度が所定値以上になるのを待って加熱を開始する場合と比べて、ウォームアップの完了が早くなる。
【００７８】
上に述べた実施形態において、定着器１７は、ローラ式に限らず、ベルト式などの他の形式のものでもよい。定着ヒータ７３は、ランプヒータであってもよい。
【００７９】
その他、画像形成装置１，１ｂの全体または各部の構成、処理の内容、順序、またはタイミング、所定値ｋ、所定値Ｔ、時間Ｔａ，Ｔｂなどは、本発明の趣旨に沿って適宜変更することができる。
【符号の説明】
【００８０】
１，１ｂ  画像形成装置
９  用紙
１７  定着器
２１  ディスプレイ
４２  画面
５０，５０ｂ  制御部
５３  不揮発性記憶部（記憶部）
６１  回転判定部
６４  回転有無判定部
６６  ジャム情報
７１  定着ローラ（ローラ）
７３  定着ヒータ（ヒータ）
７４  回転センサ
７５  円板
４１１，４２１  メッセージ
Ｔ  所定値（時間間隔）
Ｔｂ  時間
【図１】
0006627584.tif 000002
【図２】
0006627584.tif 000003
【図３】
0006627584.tif 000004
【図４】
0006627584.tif 000005
【図５】
0006627584.tif 000006
【図６】
0006627584.tif 000007
【図７】
0006627584.tif 000008
【図８】
0006627584.tif 000009
【図９】
0006627584.tif 000010
【図１０】
0006627584.tif 000011